(57)【要約】【課題】  犯罪が起きたとき、従業員や客には安全で、かつ逃走する犯人に気付かれずに、侵入した痕跡を確実に犯人に付けること。【解決手段】  マーキング液体を内蔵するアキュームレータ形圧力容器と、アキュームレータ形圧力容器の流体給排口ヘ接続され、マーキング液体を外部へ吐出する吐出ノズルを有する電磁弁装置と、電磁弁装置の駆動を制御する制御回路装置と、電磁弁装置の駆動装置及び制御回路装置へ電力を供給するバッテリー或いは、電磁弁装置及び制御回路装置の駆動回路を通じて電磁弁装置を動作させる外部電源へ接続する接続装置と、アキュームレータ形圧力容器、電磁弁装置、制御回路装置及びバッテリーを内蔵すると共に、電磁弁装置の吐出ノズル先端に対応する位置に開口部を形成して成るケース体と、電磁弁装置及び制御回路装置の駆動回路を通じて電磁弁装置を動作させるスイッチ装置とを備えた。【選択図】    図１
2006079511.tif 000002
【特許請求の範囲】
【請求項１】
マーキング液体を内蔵するアキュームレータ形圧力容器と、
前記アキュームレータ形圧力容器の流体給排口ヘ接続され、該アキュームレータ形圧力容器内のマーキング液体を外部へ吐出する吐出ノズルを有する電磁弁装置と、
前記電磁弁装置の駆動を制御する制御回路装置と、
前記電磁弁装置の駆動装置および前記制御回路装置へ電力を供給するバッテリーあるいは、前記電磁弁装置および前記制御回路装置の駆動回路を通じて前記電磁弁装置を動作させるための外部の電源へ接続するための接続装置と、
前記アキュームレータ形圧力容器、前記電磁弁装置、前記制御回路装置および前記バッテリーを内蔵すると共に、前記電磁弁装置の吐出ノズル先端に対応する位置に開口部を形成して成るケース体と、
前記電磁弁装置および前記制御回路装置の駆動回路を通じて前記電磁弁装置を動作させるためのスイッチ装置と
を備えたことを特徴とするマーキング液体吐出付着装置。
【請求項２】
マーキング液体を内蔵するアキュームレータ形圧力容器と、
前記アキュームレータ形圧力容器の流体給排口ヘ接続され、該アキュームレータ形圧力容器内のマーキング液体を外部へ吐出する吐出ノズルを有する電磁弁装置と、
前記電磁弁装置の駆動を制御する制御回路装置と、
前記電磁弁装置の駆動装置および前記制御回路装置へ電力を供給するバッテリーと、
前記電磁弁装置および前記制御回路装置の駆動回路を通じて前記電磁弁装置を動作させるための外部の電源へ接続するための接続装置と、
前記アキュームレータ形圧力容器、前記電磁弁装置、前記制御回路装置および前記接続装置を内蔵すると共に、前記電磁弁装置の吐出ノズル先端に対応する位置に開口部を形成して成るケース体と、
前記電磁弁装置および前記制御回路装置の駆動回路を通じて前記電磁弁装置を動作させるためのスイッチ装置と
を備えたことを特徴とするマーキング液体吐出付着装置。
【請求項３】
前記電磁弁装置を動作させるためのスイッチ装置が、前記電磁弁装置側と有線で接続されていることを特徴とする請求項１又は請求項２記載のマーキング液体吐出付着装置。
【請求項４】
前記電磁弁装置を動作させるためのスイッチ装置が、前記電磁弁装置側と無線で接続されていることを特徴とする請求項１または請求項２記載のマーキング液体吐出付着装置。
【発明の詳細な説明】
【技術分野】
【０００１】
本発明は、犯罪発生時、犯罪者に対して、証拠としてのマーキング液体を犯罪者の衣服あるいは靴等へ向けて吐出し、付着させるマーキング液体吐出付着装置に関する。
【背景技術】
【０００２】
従来、落ちにくいカラー液体カプセルボール（カラーボール）を用いる方法が知られている。これは、犯罪発生時に、カラーボールを犯人あるいは逃走に使用している車両に向かって投げつけ、ぶつかって破裂して飛び散ったカラー液体の付着を証拠とするものである。
また、特殊液と圧縮エヤーとを充填した容器からノズルを介して特殊液を噴射する消火器形式の防犯装置が知られている（例えば、引用文献１、引用文献２参照）。
【０００３】
また、シリンダ内へ特殊液を充填しておき、バネでピストンを押し出して特殊液をノズルから犯罪者へ噴射する技術が知られている（例えば、引用文献３参照）。
また、人間の体温を非接触で感知し、その信号で液体噴射装置を作動させ、液体を対象の人間の衣服等へ噴射付着させる防犯システムが知られている（例えば、引用文献４参照）。
【特許文献１】特開平７−２００９５６号公報
【特許文献２】特開２０００−１３２７５７号公報
【特許文献３】特許第３１３４１４６号公報
【特許文献４】特開平３−１５６６９６号公報
【発明の開示】
【発明が解決しようとする課題】
【０００４】
しかしながら、カラーボールを用いる方法は、それなりの効果を挙げてはいるが、人間が投げつけるために確実ではなく、また犯人から反撃される危険性も有している。
また、引用文献１，２は、圧縮エヤーによって噴射あるいは直射させるので、量的にも大量である。また、襲われた側の店舗従業員など人間が操作するので、犯罪者がそれにより反撃する危険性がある。また、事後の清掃等、周囲への影響が大きいものである。
【０００５】
また、引用文献３は、ばね力でピストンを押圧して液を噴射するので、構造が簡単になるメリットはあるが、一度に大量の液が噴射され、それで終ってしまうので、噴射のタイミングを外してしまうと役に立たず、確実性に欠ける。
なお、引用文献４は、大規模な店舗、ビル等において無人化状態での防犯には有効であるが、小形店舗等に配置するには大型であり、かつ価格が高く採用し難い。
【０００６】
以上に説明したように、カラーボールを用いる方法、引用文献１〜３に記載された発明おいては、吐出方法についてみると、全て犯人を狙って自らが発射する行動をとらなければならないため、犯人が逆上して攻撃（刺されたり、撃たれたり）してくる可能性がある。
一方、液については、いずれも色や臭いを付着させるため、やはり犯人の反撃の危険性が高い。また量的な点で後始末が問題である。
【０００７】
また、吐出位置について、いずれも衣服に発射する方法を採用しており、当然犯人に気付かれてしまい、反撃の危険性を含んでいる。
また、カラーボールを用いる方法、引用文献１〜３に記載された発明おいては、犯行後、衣服を着替えたり、洗い流したり、廃棄したりすることで犯罪を隠蔽可能であり、確実性に欠ける。
【０００８】
以上のような状況から、特に、コンビニエンスストア等に強盗が侵入した場合、犯行後の犯人を捕まえるのが非常に困難である。
そこで、本発明者等は、鋭意研究の結果、コンビニエンスストア等の店舗で強盗事件等の犯罪が発生したとき、従業員や客には安全で、かつ逃走する犯人に気付かれずに、侵入した痕跡を確実に犯人に付ける技術を見出し、本発明を完成するに至った。
【０００９】
従って、本発明の目的は、上記のような犯罪が起きたとき、従業員や客には安全で、かつ逃走する犯人に気付かれずに、侵入した痕跡を確実に犯人に付けることが可能なマーキング液体吐出付着装置を提供することにある。
【課題を解決するための手段】
【００１０】
請求項１に係る発明は、マーキング液体を内蔵するアキュームレータ形圧力容器と、前記アキュームレータ形圧力容器の流体給排口ヘ接続され、該アキュームレータ形圧力容器内のマーキング液体を外部へ吐出する吐出ノズルを有する電磁弁装置と、前記電磁弁装置の駆動を制御する制御回路装置と、前記電磁弁装置の駆動装置および前記制御回路装置へ電力を供給するバッテリーあるいは、前記電磁弁装置および前記制御回路装置の駆動回路を通じて前記電磁弁装置を動作させるための外部の電源へ接続するための接続装置と、前記アキュームレータ形圧力容器、前記電磁弁装置、前記制御回路装置および前記バッテリーを内蔵すると共に、前記電磁弁装置の吐出ノズル先端に対応する位置に開口部を形成して成るケース体と、前記電磁弁装置および前記制御回路装置の駆動回路を通じて前記電磁弁装置を動作させるためのスイッチ装置とを備えたことを特徴とする。
【００１１】
請求項２に係る発明は、マーキング液体を内蔵するアキュームレータ形圧力容器と、前記アキュームレータ形圧力容器の流体給排口ヘ接続され、該アキュームレータ形圧力容器内のマーキング液体を外部へ吐出する吐出ノズルを有する電磁弁装置と、前記電磁弁装置の駆動を制御する制御回路装置と、前記電磁弁装置の駆動装置および前記制御回路装置へ電力を供給するバッテリーと、前記電磁弁装置および前記制御回路装置の駆動回路を通じて前記電磁弁装置を動作させるための外部の電源へ接続するための接続装置と、前記アキュームレータ形圧力容器、前記電磁弁装置、前記制御回路装置および前記接続装置を内蔵すると共に、前記電磁弁装置の吐出ノズル先端に対応する位置に開口部を形成して成るケース体と、前記電磁弁装置および前記制御回路装置の駆動回路を通じて前記電磁弁装置を動作させるためのスイッチ装置とを備えたことを特徴とする。
【００１２】
請求項３に係る発明は、請求項１又は請求項２記載のマーキング液体吐出付着装置において、前記電磁弁装置を動作させるためのスイッチ装置が、前記電磁弁装置側と有線で接続されていることを特徴とする。
請求項４に係る発明は、請求項１または請求項２記載のマーキング液体吐出付着装置において、前記電磁弁装置を動作させるためのスイッチ装置が、前記電磁弁装置側と無線で接続されていることを特徴とする。
【発明の効果】
【００１３】
本発明によれば、マーキング液体を吐出付着する装置をケース体内へ内蔵してユニット化したので、装置全体がコンパクトになり、所定の場所への設置が容易であり、電磁弁装置の吐出ノズルの先端位置を所定方向に向けて設置することで済み、従業員にも客にも目立つことがなく、設置しやすいという利点がある。
また、マーキング液体用タンクをアキュームレータ形としたので、マーキング液体を吐出する際に、マーキング液体を粒状のままに直線的に飛ばすことが可能となり、吐出液体が拡散せず、確実に目標に付着させることができる。
【発明を実施するための最良の形態】
【００１４】
以下、本発明の実施形態を図面に基づいて説明する。
図１〜図４は、本発明の一実施形態に係るマーキング液体吐出付着装置Ａを示す（請求項１，３に対応する）。
本実施形態に係るマーキング液体吐出付着装置Ａは、カバー２，３から成る概略矩形状のケース体１を有する。カバー２，３は、カバー３をカバー２に被せた後、カバー２の四隅に設けたネジ穴付きの座部２ａに、カバー３の四隅に設けた穴３ｂにネジ棒（図示せず）をねじ込むことによって一体化されるようになっている。このケース体１内には、マーキング液体Ｍを封入したアキュームレータ形圧力容器４と、アキュームレータ形圧力容器４の流体給排口ヘ接続され、アキュームレータ形圧力容器４内のマーキング液体Ｍを外部へ吐出する吐出ノズル６を有する電磁弁装置５と、電磁弁装置５の駆動を制御する制御回路装置７と、電磁弁装置５の駆動装置および制御回路装置７へ電力を供給するバッテリー８と、この制御回路装置７を通じて電磁弁装置５を動作させるためのスイッチ装置（図示せず）とを配置している。アキュームレータ形圧力容器４と電磁弁装置５とは、ストッパー９を介してケース体１に位置決めされている。電磁弁装置５の吐出ノズル６先端がケース３の一面に形成した穴３ａを介して外部へ向けて配置されている。
【００１５】
アキュームレータ形圧力容器４は、マーキング液体Ｍを封入した袋４ａと、袋４ａに連なる中空の連結部４ｂ内に装着した弁４ｃおよび弁４ｃを常時閉弁方向に付勢するばね４ｄとを有する弁機構４ｅと、袋４ａおよび弁機構４ｅとを内蔵すると共に袋４ａを加圧する圧縮空気４ｇを充填する容器本体４ｆとで構成されている。従って、袋４ａは、圧縮空気４ｇによって囲繞され、常に内方へ圧力が加わった状態、すなわち、風船が外から押されている状態に保持されている。
【００１６】
ここで、マーキング液体Ｍは、人にはわからない匂いと、ブラックライトなどで反応する発光剤である。匂いは警察犬が追跡でいるものであり、発光剤は警察官が追跡できるものとする。
電磁弁装置５は、図２および図３に示すように、弁本体１０と、その側面へ取り付けたソレノイド１１と、ソケット１２とを有する。弁本体１０の下面にはねじ穴１０ｂが形成され、その底側は側面に形成されている弁室１０ｃへ開口しており、弁室１０ｃの中央に接続口１０ａが貫通形成されいる。弁本体１０の接続口１０ａには、細いパイプから成るマーキング液体Ｍを直線上に細く吐出するため吐出ノズル６が圧入されている。弁本体１０の接続口１０ａの開口端とソレノイド１１のプランジャ（可動鉄心）１１ａ先端との間で２方弁を構成している。ソレノイド１１は、図３に示すように、ばね１１ｂによって常に接続口１０ａ側へ付勢されており、通電することで、ばね１１ｂのばね力に抗してプランジャ１１ａが吸引され、図４に示すように、左側へ移動すると、アキュームレータ形圧力容器４内のマーキング液体Ｍがソケット１２から供給ポート１０ｄから弁室１０ｃを通って、接続口１０ａ、吐出ノズル６先端へ供給され、そこから対象に向かってマーキング液体Ｍが噴射される。このように、ソレノイド１１は、マーキング液体Ｍを吐出ノズル６へ供給したり停止させたりする動作を電磁力により作動する。弁本体１０の弁室１０ｃとソレノイド１１のプランジャ１１ａとの間にはシールリング１０ｅが装着されている。弁本体１０のねじ穴１０ｂには、ソケット１２は、接続部１２ａがねじ込まれている。弁本体１０とソケット１２との間にはＯリング等のシールリング１３が装着されている。ソケット１２は、アキュームレータ形圧力容器４のタンク用弁４ｃを押し下げる環状突起１２ｂを接続部１２ａの反対側に備えている。また、ソケット１２は、ストッパー９を支持するためにフランジ部１２ｃを接続部１２ａの下部側に備えている。
【００１７】
次に、斯くして構成された本実施形態に係るマーキング液体吐出付着装置Ａの作用を説明する。
図２に示すように、アキュームレータ形圧力容器４を、ソレノイド１１およびソケット１２を取り付けた弁本体１０に装着する。この際、ソレノイド１１のプランジャ１１ａは、図４に示すように、弁室１０ｃの接続口１０ａに当接し、吐出ノズル６への流路を遮断している。マーキング液体Ｍは、アキュームレータ形圧力容器４から弁室１０Ｃに連絡する通路に充満している。
【００１８】
このように、電磁弁装置１０を組み付けたアキュームレータ形圧力容器４を、図１に示すように、ケース体１内に配置する。ケース体１内には、制御装置７およびバッテリー８が配置されている。なお、制御装置７には、所定の箇所に設置されるスイッチ装置に連絡するコードが取り付けられている。
これらの組み込みが終えたところで、カバー２をカバー３で覆い、ねじ棒を介して両者を固定する。
【００１９】
以上により、本実施形態に係るマーキング液体吐出付着装置Ａの組立が完了する。
次に、本実施形態に係るマーキング液体吐出付着装置Ａの使用例について説明する。
図５は、本実施形態に係るマーキング液体吐出付着装置Ａをカウンター２０の足元に設置した例を示す。例えば、カウンター２０内部の外から見えない位置に設置したスイッチ装置（図示せず）を従業員２１が押すことにより、本実施形態に係るマーキング液体吐出付着装置Ａが作動し、吐出ノズル６からマーキング液体Ｍが、対象者である犯人２２の足元（靴およびズボン足首付近）へ吐出される。この際、電磁弁装置５においては、プランジャ１１ａが図４で左側へ吸引され、弁室１０ｃの接続口１０ａを開放し、アキュームレータ形圧力容器４側から連通する通路内に充満しているマーキング液体Ｍが吐出ノズル６から外部へ噴射する。電磁弁装置５における通電はパルス状に行われ、マーキング液体Ｍも間欠的に所定量ずつ吐出ノズル６から飛び出る。
【００２０】
図６は、本実施形態に係るマーキング液体吐出付着装置Ａを入り口ドア２３付近の足元に設置した例を示す。例えば、カウンター内部の外から見えない位置に設置したスイッチを従業員が押すと犯人２２の足元（靴及およびズボン足首付近）へ吐出される。あるいは、スイッチを従業員が押すことにより、犯人２２が犯行後ドア２３から逃走しようと近づいたところを感知して本実施形態に係るマーキング液体吐出付着装置Ａを作動させることもできる。この場合も、電磁弁装置５においては、プランジャ１１ａが図４で左側へ吸引され、弁室１０ｃの接続口１０ａを開放し、アキュームレータ形圧力容器４側から連通する通路内に充満しているマーキング液体Ｍが吐出ノズル６から外部へ噴射する。電磁弁装置５における通電はパルス状に行われ、マーキング液体Ｍも間欠的に所定量ずつ吐出ノズル６から飛び出る。
【００２１】
以上のように、本実施形態に係るマーキング液体吐出付着装置Ａは、装置をユニット化してケース１ヘ内蔵させたので、設置を容易にできると共に、ケース１を開閉可能にすることで、アキュームレータ形圧力容器４のボンベ等の交換やバッテリ８の交換が容易にできる。また、本実施形態に係るマーキング液体吐出付着装置Ａは、マーキング液体Ｍを吐出し犯人２２に気付かれずに付着させることができる。
【００２２】
また、本実施形態に係るマーキング液体吐出付着装置Ａは、床に近い場所に設置し、犯人２２の足首付近にマーキング液体Ｍが付着できる位置にすることで、その効果をより高めることができる。
また、本実施形態に係るマーキング液体吐出付着装置Ａの配置場所も出入り口、カウンター前など犯人２２が立ち止まる場所とすることで、確実にマーキング液体Ｍの付着を達成させることができる。
【００２３】
しかも、マーキング液体Ｍは、人にはわからない匂いと、ブラックライトなどで反応する発光剤であるから、犯人２２に気付かれずに付着した後は、警察犬がその匂いを追跡でき、また、発光剤は警察官が追跡できる。従って、犯人２２によって洗い流したり、廃棄したりするおそれはなく、証拠として有効に利用することが可能である。
本実施形態に係るマーキング液体吐出付着装置Ａの取付けは１箇所および数箇所可能で、状況に応じて増減できる。
【００２４】
前述したように、マーキング液体Ｍの吐出は犯人２２に気付かれないために微少量を無音に近い状態で一定時間繰り返し電磁弁装置５の吐出ノズル６から吐出することができる。１ショットの吐出量は電磁弁装置５の開閉のスピードで調整することもできる。
マーキング液体Ｍの吐出は、確実に特定の距離が離れていてもしっかり標的に付着させるため、マーキング液体Ｍを霧状に吐出するのではなく、粒状に直線的に飛ばす。また、電磁弁装置５は１年以上動作していなくても確実に動くことが要求される。
【００２５】
マーキング液体Ｍを直線的に飛ばすため、吐出出口には吐出ノズル６を装着し、また、マーキング液体Ｍのみを吐出させるために専用ボンベを使用する。専用ボンベとはボンベに充填した液体と圧縮ガスが混ざらないものである。従って、アキュームレータのような構造が好ましい。
なお、例えば、一定時間とは、犯人２２が犯行して逃走するまでの時間とする。犯人２２以外の人にマーキング液体Ｍの付着を避けるため、一定時間吐出後は自動で停止する。基本的には、犯行が行われた時に特定の動作をすることにより信号が入り作動する。本実施形態に係るマーキング液体吐出付着装置Ａの特定の動作とは従業員２１が手動でスイッチを押すことである。
【００２６】
上記実施形態では、有線でスイッチ装置に接続する場合について説明したが、本発明はこれに限らず、無線式にすること可能である。この場合には、スイッチ用のリード線が必要なくなる。これによりリード線の配線処理が必要なくなり取付けが簡単になり場所を選ばなくなる。
また、例えば自動ドアから犯人が逃走することを考えると、自動ドアのセンサと連動し自動ドアが開くタイミングでマーキング液体Ｍを吐出させることも可能である。これにより的確に犯人にマーキング液体Ｍを付着することができる。また、ＡＴＭ等の無人装置に装着する場合は、振動センサ等に反応しマーキング液体Ｍを吐出できるようにすることで、無人でも犯人に対して液体の付着が可能となる。
【００２７】
また、上記実施形態では、電源としてバッテリを搭載した場合について説明したが、本発明はこれに限らず、外部の電源へ接続するための接続装置（例えば、ＡＣアダプタなど）としても良い。この場合、整流器等を付加させることにより、容易に実施できる。また、これらバッテリーと外部電源との両方へ接続可能にさせることが可能であり、これにより適当な場所（位置）へ設置ができるものである。
【図面の簡単な説明】
【００２８】
【図１】本発明の一実施形態に係るマーキング液体吐出付着装置を分解して示す斜視図である。
【図２】図１のマーキング液体吐出付着装置における電磁弁部の斜視図である。
【図３】図１のマーキング液体吐出付着装置の作動状態を示す主要部の断面図である。
【図４】図１のマーキング液体吐出付着装置の不作動状態を示す主要部の断面図である。
【図５】図１のマーキング液体吐出付着装置の設置例としてカウンター下へ設置した状態を示す説明図である。
【図６】図１のマーキング液体吐出付着装置の入り口ドア付近へ設置下状態をす説明図である。
【符号の説明】
【００２９】
１  ケース体
３ａ  穴
４  アキュームレータ形圧力容器
５  電磁弁装置
６  吐出ノズル
７  制御回路装置
８  バッテリー
１０  弁本体
１０ａ  接続口
１０ｂ  ねじ穴
１０ｃ  弁室
１１  ソレノイド
１１ａ  プランジャ
１２  ソケット
Ａ  マーキング液体吐出付着装置
Ｍ  マーキング液体
【図１】
2006079511.tif 000003
【図２】
2006079511.tif 000004
【図３】
2006079511.tif 000005
【図４】
2006079511.tif 000006
【図５】
2006079511.tif 000007
【図６】
2006079511.tif 000008